(57)【特許請求の範囲】
【請求項１】
巻線を有する固定子と、前記固定子に対して回転可能な回転子を有するモータと、
前記モータを収容するハウジングと、
前記ハウジングより突出し前記モータにより駆動される先端工具保持部と、
を有する電動工具であって、
前記ハウジングの内部に、非磁性体の金属で構成され、内側に前記固定子を収容するカバー部材を設け、
前記カバー部材の外周面に放熱用のフィンを設けたことを特徴とする電動工具。
【請求項２】
前記カバー部材は、該カバー部材の内外部で水分の連通がほぼ遮断される防水容器であり、前記固定子は前記防水容器の内側に収容されることを特徴とする請求項１に記載の電動工具。
【請求項３】
前記回転子は前記防水容器の外側に収容されることを特徴とする請求項１又は２に記載の電動工具。
【請求項４】
前記防水容器は円筒形の外筒部と内筒部を有し、
前記円筒形の外筒部と内筒部の間の空間が防水容器として機能し、
前記固定子を前記防水容器の内部に配置し、前記回転子を前記内筒部の内周側の空間に配置し、
前記回転子から前記固定子への磁気回路は前記防水容器を透過して形成されることを特徴とする請求項１から３のいずれか一項に記載の電動工具。
【請求項５】
巻線を有する固定子と、前記固定子に対して回転可能な回転子を有するモータと、
前記モータを収容するハウジングと、
前記ハウジングより突出し前記モータにより駆動される先端工具保持部と、
を有する電動工具であって、
前記モータはブラシレスＤＣモータであり、
前記回転子は永久磁石を有し、前記モータの回転軸に固定され、
前記固定子は前記回転子の外周側に配置され、
前記巻線に駆動電流を供給する駆動回路を前記ハウジング内に設け、
前記モータの回転のオン又はオフを制御する操作部を有するスイッチ手段を設け、
前記駆動回路はカバー部材で覆われ、
前記スイッチ手段は、前記操作部を除いて前記カバー部材に覆われていることを特徴とする電動工具。
【請求項６】
前記カバー部材の外周面に放熱用のフィンを設けたことを特徴とする請求項５に記載の電動工具。
【発明の詳細な説明】
【技術分野】
【０００１】
本発明は電気モータの動力を利用して先端工具を駆動する電動工具に関し、特に、モータの耐水性及び耐防じん性を向上させて安全性及び耐久性を向上させた電動工具に関する。
【背景技術】
【０００２】
電気モータの動力を利用して先端工具を駆動する電動工具が広く用いられている。電動工具は、内燃機関やエアモータに比べて効率が良く、取り扱いが容易である。電動工具の一例として、モータの出力を傘歯車機構を用いて減速及び方向を変換し、スピンドルを駆動することによりスピンドルの先端に取り付けられる砥石を回転させる特許文献１のようなディスクグラインダが知られている。図４は従来の従来のディスクグラインダ１０１の全体構造を示す断面図である。駆動源となるモータ１０６は、ポリカーボネイト等の高分子樹脂の一体成型により製造されたモータハウジング１０２の内部に配置される。モータハウジング１０２の後方側にはテールカバー１０４が設けられ、モータハウジング１０２とテールカバー１０４によってディスクグラインダ１０１のハウジング部分が構成される。テールカバー１０４はモータ１０６の回転軸１０６ｅを通る鉛直面にて左右方向に分割可能であり、図４では左右分割式のテールカバー１０４の片側を外した状態を示している。
【０００３】
モータ１０６はブラシ１０７を有する直流モータであり、その回転軸１０６ｅは、ギヤカバー３に固定される前方ベアリング１０ａと、モータハウジング１０２に固定される後方ベアリング１１０ｂにより回転可能に保持される。回転軸１０６ｅの前方ベアリング１０ａとモータ１０６の間には、冷却ファン１１１が設けられる。冷却ファン１１１は例えばプラスチック製のファンである。モータ１０６の回転と同期して冷却ファン１１１が回転することにより、吸気口１０４ａから外気を吸引して、モータ１０６を通過させる空気流を発生させ、モータ１０６を冷却した空気は排気口３ａから前方に排出される。
【０００４】
回転軸１０６ｅの前端には第１の傘歯車１２ａが設けられ、第１の傘歯車１２ａはスピンドル７の上側端部に取り付けられた第２の傘歯車１２ｂに噛み合う。スピンドル７は、ベアリング１３ａ、１３ｂによりギヤカバー３に回転可能に保持される。ここで第２の傘歯車１２ｂは直径が大きく、第１の傘歯車１２ａに比べて歯車数が多いので、これら駆動伝達手段はいわゆる減速機構として機能する。スピンドル７の下端には、砥石８が着脱可能に取り付けられる。砥石８の後方側の周囲には、研削された部材や破損した砥粒等の飛散から作業者を保護するためホイルガード９が設けられる。図４では砥石８をとりつけた例を示しているが、砥石８だけに限られず、ベベルワイヤブラシ、不織布ブラシ、ダイヤモンドホイール等を取り付けるようにしても良い。
【０００５】
回転軸１０６ｅの後端にはブラシ１０７が取り付けられる。ブラシ１０７は、モータ１０６の固定子と回転子の角度に応じて適切な巻線に電流を流す働きをするものである。モータ１０６には電源コード１１９を介して供給される交流電力をスイッチ１１６を介して供給される。スイッチ１１６は、モータ１０６の回転のオン／オフを行うもので、テールカバー１０４から外部にレバー１１６ａが突出し、作業者はこのレバー１１６ａを操作する。電源コード１１９から入力された電力がコード１１７ａ、１１７ｂ、及び、スイッチ１１６を介してモータ１０６に供給され、回転子が回転することで砥石８を回転し、作業者は意図した作業を行なうことができる。尚、モータ１０６の固定を行なうモータハウジング１０２は、通常、アルミニウム合金や樹脂で製作される。モータハウジング１０２をアルミニウム合金製とした場合、特別な構成がない場合、アース端子１１８が設けられ、電源コード１１９のアース線１１７ｃと接続される。
【先行技術文献】
【特許文献】
【０００６】
【特許文献１】特開２００９−１７１７１７号公報
【発明の概要】
【発明が解決しようとする課題】
【０００７】
図４に示す従来の電気駆動式ディスクグラインダでは、仮に雨中や鉄などの導電性粉じんが飛散する環境下で使用されても水分や導電性粉じんが内部に入り難いように構成されるが、モータ１０６の回転子や固定子の巻線に水分が触れると、コイル部が錆びる恐れがある。また、モータ１０６の回転子や固定子の巻線に鉄などの粉じんがあたることにより、コイル部の被覆が傷つけられる恐れがある。
【０００８】
本発明は上記背景に鑑みてなされたもので、その目的は、耐水性及び耐防じん性が高く作業能率の良い電動工具を提供することにある。
【０００９】
本発明の他の目的は、モータを駆動するための駆動回路やスイッチ部の耐水性及び耐防じん性を高めた電動工具を提供することにある。
【００１０】
本発明のさらに他の目的は、モータの防水性能を高めつつ、モータや駆動回路等の冷却性を向上させた電動工具を提供することにある。
【課題を解決するための手段】
【００１１】
本願において開示される発明のうち、代表的なものの特徴を説明すれば、次の通りである。
【００１２】
本発明の一つの特徴によれば、巻線を有する固定子と、固定子に対して回転可能な回転子を有するモータと、モータを収容するハウジングと、ハウジングより突出しモータにより駆動される先端工具保持部を有する電動工具であって、ハウジングの内部に固定子を覆うカバー部材を設けた。このモータはブラシレスＤＣモータであり、回転子は永久磁石を有し、モータの回転軸に固定され、固定子は回転子の外周側に配置され、巻線に駆動電流を供給する駆動回路をハウジング内に設けた。さらにモータを駆動するための駆動回路をカバー部材で覆うように構成した。
【００１３】
本発明の他の特徴によれば、カバー部材は、カバー部材の内外部で水分の連通がほぼ遮断される防水容器であり、固定子は防水容器の内側に収容されるようにし、回転子は防水容器の外側に収容されるように構成した。防水容器は円筒形の外筒部と内筒部を有し、円筒形の外筒部と内筒部の間の空間が防水容器として機能し、固定子を防水容器内に配置し、回転子を内筒部の内周側の空間に配置し、回転子から固定子への磁気回路は防水容器を透過して形成されるように構成した。
【００１４】
本発明の他の特徴によれば、防水容器を非磁性体の金属で構成し、防水容器の外周面に放熱用のフィンを設けた。またモータの回転のオン又はオフを制御する操作部を有するスイッチ手段を設け、スイッチ手段を、操作部を除いて防水容器内に収容した。
【発明の効果】
【００１５】
本発明によれば、ハウジングの内部に固定子を覆うカバー部材を設けたので、モータそのものの耐水性及び耐防じん性を向上させた電気駆動式の電動工具を実現することが可能となる。また耐水性及び耐防じん性を向上が向上するので、電動工具の寿命を長くすることができる。また、モータは永久磁石を用いたインナーロータ型のブラシレスＤＣモータであり、ロータ側に電気を流す必要がないので、耐水性を向上させることができる。さらに、巻線に駆動電流を供給する駆動回路をハウジング内に設けたので、モータを精度良く高効率に回転させることができる。
【００１７】
本発明によれば、駆動回路をカバー部材で覆うので、電子素子を搭載した回路基板の耐水性及び耐防じん性を向上させることができ、回路基板に対するシリコン樹脂等による防水加工を省くことができる。カバー部材は、カバー部材の内外部で水分の連通がほぼ遮断される防水容器であり、固定子は防水容器の内側に収容されるので、モータの通電部分である固定子側の防水性を向上させることができる。また、回転子は防水容器の外側に収容されるので、モータの電流が流れる固定子部分だけを効果的に防水にできる。
【００２０】
本発明によれば、防水容器は円筒形の外筒部と内筒部を有し、固定子を防水容器内に配置し、回転子を内筒部の内周側の空間に配置し、回転子から固定子への磁気回路は防水容器を透過して形成されるので、効率的に防水容器を収容できる。また、防水容器を非磁性体の金属で構成し、防水容器の外周面に放熱用のフィンを設けたので、発熱する固定子を効果的に冷却することができる。
【００２２】
本発明によれば、巻線に駆動電流を供給する駆動回路と防水容器内に収容し、操作部を除いてスイッチ手段を防水容器内に収容したので、スイッチ手段の防水性をも高めることができる。
【００２３】
本発明の上記及び他の目的ならびに新規な特徴は、以下の明細書の記載及び図面から明らかになるであろう。
【図面の簡単な説明】
【００２４】
【図１】本発明の実施例に係る電動工具（ディスクグラインダ１）の全体構造を示す断面図である。
【図２】図１のＡ−Ａ部の断面図である。
【図３】図１の防水ケース２０、モータハウジング２、及び、テールカバー４の組立構造を示す分解斜視図である。
【図４】従来技術に係る電動工具（ディスクグラインダ１０１）の全体構造を示す断面図である。
【発明を実施するための形態】
【実施例１】
【００２５】
以下、本発明の実施例を図面に基づいて説明する。また、本明細書においては、前後上下の方向は図中に示す方向であるとして説明する。
【００２６】
図１は本発明の実施例に係る電動工具（ディスクグラインダ１）の全体構造を示す断面図である。図１において、図４で説明した従来例と同一構成品の部分には同一の符号を付している。本実施例では、従来例と大きく異なる点として、使用されるモータ６としてブラシレスＤＣモータを用いることと、モータ６の固定子６ａと、モータ６の回転を駆動する駆動回路１５と、スイッチ１６を、ハウジングの内部に収容される防水ケース２０内に収容したことである。
【００２７】
駆動源となるモータ６は、ポリカーボネイト等の高分子樹脂の一体成型により製造されたモータハウジング２の内部に配置される。モータ６の回転軸６ｅには回転子６ｃが設けられる。本実施例では、いわゆるインナーロータ型のブラシレスＤＣモータであり、回転子６ｃには後述する永久磁石が用いられて巻線等の導電部分を持たない。回転軸６ｅと、回転軸６ｅの後端を保持する後方ベアリング１０ｂは防水ケース２０の内筒部２０ｂの内側に配置され、この結果、回転子６ｃの部分は防水ケース２０の防水領域の外部に配置されることになる。回転子６ｃの外周側には巻線６ｂがまかれた固定子６ａが配置されるが、固定子６ａは防水ケース２０の内部に配置される。
【００２８】
モータの回転軸６ｅは、ギヤカバー３に固定される前方ベアリング１０ａと、モータハウジング２にて保持される後方ベアリング１０ｂにより、回転可能に保持される。回転軸６ｅの前方ベアリング１０ａとモータ６の間には、冷却ファン１１が設けられる。冷却ファン１１は例えばプラスチック製のファンである。モータ６の回転と同期して冷却ファン１１が回転することにより、テールカバー４の側面に構成された図示しない吸気口から外気を吸引して、防水ケース２０の外周側を通過させる空気流を発生させる。防水ケース２０は、密閉構造とするのが好ましく、防水ケース２０の内部で空気や水が流れないようにするのが理想的である。また、防水ケース２０は、内部に固定子６ａや後述する駆動回路１５等を収容するために、分割された部材を接合することにより形成される。一方、防水ケース２０を発熱する固定子６ａの放熱部材として作用させるために、防水ケース２０の外周部において軸方向に延びるように複数の放熱フィン２５を設けた。放熱フィン２５は、固定子６ａや駆動回路１５から駆動時に発生される熱が十分発散できるように多数設けられる。
【００２９】
防水ケース２０の外周部分と、テールカバー４及びモータハウジング２の内壁部分の間には、軸方向に連続する隙間が設けられ、この隙間を介して防水ケース２０の外周部分を流れた空気は、冷却ファン１１に到達し、冷却ファン１１の作用によって加熱された空気は排気口３ａから前方に排出される。回転軸６ｅの前端には第１の傘歯車１２ａが設けられ、第１の傘歯車１２ａはスピンドル７の上側端部に取り付けられた第２の傘歯車１２ｂと噛み合う。尚、ギヤカバー３の内部に収容される駆動伝達手段は、図４で説明した従来例の構成と全く同一であるので、繰り返しの説明は省略する。
【００３０】
回転軸６ｅの後端には後方ベアリング１０ｂが取り付けられる。後方ベアリング１０ｂは、モータハウジング２から内周側に延在する後述するアーム部２ａに接続される後述するベアリングホルダによって保持される。モータ６の巻線６ｂには、電源コード１９を介して供給される交流電力を整流してインバータ回路を用いて所定の巻線に駆動電流が供給されるが、これら整流回路やインバータ回路を含むモータ６用の駆動回路１５が防水ケース２０の内部に配置される。駆動回路１５の収容位置は、モータ６の後方であって、テールカバー４の内部である。駆動回路１５の後方側の防水ケース２０の内部には、モータ６の回転をＯＮ又はＯＦＦするためのスイッチ１６が設けられる。スイッチ１６は、作業者が操作をするためにレバー１６ａを有し、防水ケース２０のスイッチレバー装着面２０ｆの貫通穴を介してテールカバー４の貫通穴４１ｃ、４２ｃから外部にレバー１６ａが突出し、作業者はこのレバー１６ａを操作する。電源コード１９から入力された電力は、スイッチ１６を介して駆動回路１５に供給され、駆動回路１５はモータ６の巻線６ｂに所定の駆動電流を供給することによりモータ６を回転させる。
【００３１】
本実施例では、モータハウジング２は高分子樹脂製とし、防水ケース２０をアルミニウム合金等の、非磁性体の導電性金属で形成した。このため、防水ケース２０にはアース端子１８が設けられ、電源コード１９のアース線１７ｃと接続される。テールカバー４は、回転軸６ｅを含む鉛直面において左右に分割可能に構成される。テールカバー４の右側部分には、ネジ穴４１ｄが形成され、図示しないネジをテールカバー４の左側部分に形成される図示しないネジボスにねじ締めすることにより、右側テールカバー及び左側テールカバーがモータハウジング２の後端の段差部を挟み込むようにして接合される。
【００３２】
次に図２を用いて図１のＡ−Ａ部の断面構成を説明する。本実施例ではモータハウジング２は円筒形の一体構成で製造され、モータハウジング２の内側にはアルミニウム合金製の防水ケース２０が設けられる。防水ケース２０は、外周部に配置され複数の放熱フィン２５が形成された外筒部２０ａと、固定子６ａの内周側であって回転子６ｃの外周側に配置される内筒部２０ｂを含んで構成される。放熱フィン２５の最外周端のうちの一部はモータハウジング２の内壁と当接するが、放熱フィン２５が設けられる以外の防水ケース２０の外周側は、モータ６の軸方向（即ち前後方向）に連続する空間２６になっており、この空間２６が冷却ファン１１によって生成される空気流の風路となっている。モータハウジング２の内側の放熱フィン２５との当接部には、軸方向に延びる僅かながらのリブ２ｅが形成され、これによってモータハウジング２の剛性アップを図ると共に、回転子６ｃと固定子６ａとの同軸となるよう固定子６ａの支持を行っている。
【００３３】
防水ケース２０の内部空間、即ち内筒部２０ｂと外筒部２０ａの間には固定子６ａが収容される。固定子６ａには円周方向の内側に向かって複数の磁極が形成され、各磁極には銅線が巻かれて巻線６ｂを形成する。本実施例では、巻線６ｂをＵ、Ｖ、Ｗ相の３相を有するスター結線で構成すると好ましい。巻線６ｂ（Ｕ、Ｖ、Ｗ）には、回転子６ｃの回転位置に基づいて電気角１２０°の通電区間に制御された電流が、駆動回路１５に含まれる図示しないインバータ回路によって供給される。回転子６ｃは、回転軸６ｅの外周側に取り付けられ、ロータコアと、ロータコアに設けられたスロット内に配置される軸方向に細長い板状の永久磁石６ｄから構成される。ここで図２から理解できるように、回転子６ｃから固定子６ａの磁極に至る空隙部には、防水ケース２０の内筒部２０ｂが位置する。内筒部２０ｂは外周側が固定子６ａと接するが、内周側は、僅かながらの空隙を介して回転子６ｃの外周面と離れて位置する。このように防水ケース２０は回転子６ｃとは接触しないため、回転子６ｃの回転を妨げることはない。また、防水ケース２０は、アルミニウム合金等の非磁性体から構成されるので、モータ６の磁気回路に悪影響を及ぼすこともない。
【００３４】
次に図３を用いて防水ケース２０の構成を説明する。図３は防水ケース２０の組立構造を示す分解斜視図である。防水ケース２０は主に、主筒部２１と、接続部２２と、後端部２３と、内側後壁２４の４つの部品から構成される。これら主筒部２１、接続部２２、後端部２３、内側後壁２４は、同一材質の金属で構成される。主筒部２１は、モータ６の固定子６ａを収容する部分で、外筒部２０ａと内筒部２０ｂと、前方側で外筒部２０ａと内筒部２０ｂを接続する環状の前端壁部２０ｃで構成される。主筒部２１はアルミニウム合金の一体成型または各部の接合による分割構造により構成される。接続部２２は、主筒部２１に挿入される固定子６ａの後端を押さえる役目を果たし、モータハウジング２の内側の対向する２箇所から延びるアーム部２ａを収容する空間２２ｂと、アーム部２ａの内側に固定されるベアリングホルダ２ｂを収容する貫通部２２ａが設けられる。空間２２ｂの前方側は壁になっており、その両側に扇状に形成される空間２２ｃは前後方向（軸方向）に貫通するし、この空間を通して巻線６ｂへの配線が接続される。
【００３５】
モータハウジング２は、プラスチック等の合成樹脂により構成され、後端の外周領域にはテールカバー４を接続するための段差部２ｃが設けられ、段差部２ｃの円周方向の２箇所には、テールカバー４の溝部と係止させるために径方向外側に突出する係止爪部２ｄが形成される。モータハウジング２の後端には、内側の対向する２箇所からやや斜め後方に延びるアーム部２ａが形成され、アーム部２ａの先端付近には、後方ベアリング１０ｂの外周部を覆うカップ状のベアリングホルダ２ｂが形成される。アーム部２ａとそれに接続されるベアリングホルダ２ｂは、一体成型により製造される。
【００３６】
内側後壁２４は、接続部２２の貫通部２２ａと空間２２ｂの後方を覆うための壁となるものである。後方ベアリング１０ｂの周囲は、接続部２２と、モータハウジング２のアーム部２ａとベアリングホルダ２ｂによって覆われるために、防水性及び防塵性を保つことができる。また、ベアリングホルダ２ｂの後方側には内側後壁２４が取り付けられるので、接続部２２の貫通する空間２２ｃ以外の領域と後端部２３内の空間と有効に遮断することができる。
【００３７】
後端部２３は防水ケース２０の後端側開口（接続部２２の空間２２ｃ）を閉鎖する部材であると共に、その内部に駆動回路１５とスイッチ１６を収容する空間を形成するものである。駆動回路１５は、防水ケースの内径とほぼ同形の図示しない回路基板に搭載されるが、スイッチ１６の収容のために必要な空間は駆動回路１５に比べるとさほど大きくない。そこで、後端部２３は下側半分だけが後方に突出するように構成され、半円状の段差壁部２０ｅと半円状のスイッチレバー装着面２０ｆが形成される。段差壁部２０ｅにはコード１７ａ、１７ｂを通すための貫通穴２３ｃ、２３ｄとアース端子１８用にネジを螺合させるためのネジ穴２３ｂが形成される。スイッチレバー装着面２０ｆには、スイッチ１６のレバー１６ａを貫通させるための四角形の貫通穴２３ｅが形成される。
【００３８】
防水ケース２０の組み立て方法は、主筒部２１の後方からモータ６の固定子６ａを挿入してから、後方より接続部２２を装着する。次にこれらの組立体をモータハウジング２の前方から内側に挿入する。一方、防水ケース２０の後端部２３の内部には、スイッチ１６と駆動回路１５を挿入して固定する。次に、アーム部２ａとベアリングホルダ２ｂを、接続部２２の貫通部２２ａと空間２２ｂに収容させるように位置づけて、接続部２２の後ろ側に内側後壁２４を取り付ける。その後、接続部２２の後ろ側に後端部２３を装着する。この装着の際に、巻線６ｂと駆動回路１５との結線も行われる。主筒部２１と接続部２２と後端部２３の接合方法は、例えば溶接により接合する。また、接合部付近の形状を工夫することにより公知の嵌め合い技術により接合するようにしても良いし、接着剤によって接合するようにしても良い。接合部分や貫通穴の部分には、防水性をより完璧にするためにシール部材や、保護カバーを設けるようにしても良い。
【００３９】
次に、モータハウジング２の後側にテールカバー４を取り付ける。テールカバー４は、右側テールカバー４１と左側テールカバー４２によって、鉛直面で左右分割できる分割式で構成され、図示しないネジによって左右テールカバー４１、４２が固定される。そのため、ネジ穴４１ｄとネジボス４２ｄが形成される。また、左右テールカバー４１、４２の前端の内側には、モータハウジング２の係止爪部２ｄと係合するための円周方向に延在する溝部４１ａ、４２ａが形成され、これらの係合によってテールカバー４（４１、４２）がモータハウジング２に安定して保持されることになる。左右テールカバー４１、４２の側方には、吸気口となる複数のスリット４１ｅ、４２ｅが形成される。また、左右テールカバー４１、４２の後方には、電源コード１９を貫通させるための貫通穴４１ｂ、４２ｂと、スイッチ１６のレバー１６ａを外部に突出させるための貫通穴４１ｃ、４２ｃが形成される。
【００４０】
本実施例の構成によれば、吸気口たるスリット４１ｅ、４２ｅより水分を含む外気が吸い込まれたとしても、モータ６の通電部分が防水ケース２０に覆われていて空気流に曝されていないため、防水性を大幅に向上させることができた。また、モータ６をブラシレスモータで実現したため、永久磁石で構成された回転子６ｃの絶縁が不要となったばかりか、ブラシ等の電極部分の絶縁が不要になった。さらに、回転子側の巻線の冷却を考慮する必要がなくなったので、モータ６の冷却性能を向上させることができた。以上の結果、耐水性及び耐防じん性が高く、作業能率の高い電気駆動式のディスクグラインダを実現することができた。
【００４１】
以上、本発明を示す実施例に基づき説明したが、本発明は上述の実施例に限定されるものではなく、その趣旨を逸脱しない範囲内で種々の変更が可能である。例えば、上述の実施例では電動工具の例としてディスクグラインダで説明したが、ディスクグラインダだけに限られずドライバドリル、インパクトドライバ等のその他の電動工具においても同様に適用できる。また、防水ケースは、熱伝導性が高くて絶縁性があればよいので、ウレタンやエポキシなどの樹脂で製造しても良い。
【符号の説明】
【００４２】
１  ディスクグラインダ      ２  モータハウジング      ２ａ  アーム部
２ｂ  ベアリングホルダ      ２ｃ  段差部      ２ｄ  係止爪部
２ｅ  リブ      ３  ギヤカバー      ３ａ  排気口      ４  テールカバー    
６  モータ      ６ａ  固定子      ６ｂ  巻線      ６ｃ  回転子
６ｄ  永久磁石      ６ｅ  回転軸      ７  スピンドル      ８  砥石
９  ホイルガード      １０ａ  前方ベアリング      １０ｂ  後方ベアリング
１１  冷却ファン      １２ａ、１２ｂ  傘歯車      １３ａ、１３ｂ  ベアリング
１５  駆動回路      １６  スイッチ      １６ａ  （スイッチの）レバー
１７ａ、１７ｂ  コード      １７ｃ  アース端子      １８  アース端子
１９  電源コード      ２０  防水ケース      ２０ａ  （防水ケースの）外筒部
２０ｂ  （防水ケースの）内筒部      ２０ｃ  （防水ケースの）前端壁部
２０ｅ  （防水ケースの）段差壁部
２０ｆ  （防水ケースの）スイッチレバー装着面
２１  主筒部      ２２  接続部      ２２ａ  貫通部      ２２ｂ、２２ｃ  空間
２３  後端部      ２３ｂ  ネジ穴      ２３ｃ、２３ｄ、２３ｅ  貫通穴
２４  内側後壁      ２５  放熱フィン      ２６  空間
４１  右側テールカバー      ４２  左側テールカバー      ４１ａ、４２ｂ  溝部
４１ｂ、４２ｂ  貫通穴      ４１ｃ、４２ｃ  貫通穴      ４１ｄ  ネジ穴
４２ｄ  ネジボス      ４１ｅ、４２ｅ  スリット
１０１  ディスクグラインダ      １０２  モータハウジング
１０４  テールカバー      １０４ａ  吸気口      １０６  モータ
１０６ｅ  回転軸      １０７  ブラシ      １１０ｂ  後方ベアリング
１１１  冷却ファン      １１６  スイッチ      １１６ａ  レバー
１１７ａ  コード      １１７ｃ  アース線      １１８  アース端子
１１９  電源コード
【図１】
0005482274.tif 000002
【図２】
0005482274.tif 000003
【図３】
0005482274.tif 000004
【図４】
0005482274.tif 000005